(57)【要約】      （修正有）【課題】壁際でも無理なくセットすることができ、かつ、安定して作業をすることができるようにするとともに、間隔の調節により、サイズの異なる光キャビネットに取り付けることができ、また、作業台上の全面を使用することができる。【解決手段】背面板と、背面板の左右にてキャビネットを取り囲むように設けられた側面板とから成る取り付け枠を有し、取り付け枠を背面板部分とこれに続く上面板部分にて左右２部分に分割するとともに、背面板部分と上面板部分を重ねて左右方向へスライド可能にすることにより、左右の側面板間の間隔を調節可能、かつ任意の間隔にて固定手段２０により固定可能とし、作業台板２５を、ほぼ水平な使用位置と、使用位置から退避位置へ折り畳み可能に、取り付け枠に支軸２６により取り付ける。【選択図】図２
0003120295.tif 000002
【実用新案登録請求の範囲】
【請求項１】
光ファイバー用のキャビネットと、そのキャビネットを取り付けた壁面との間の隙間を利用して取り付ける着脱式の作業台であって、キャビネットの背面と壁面との間の上記隙間に挿し込まれる背面板と、背面板の左右にてキャビネットを取り囲むように設けられた側面板とから成る取り付け枠を有し、取り付け枠を背面板部分とこれに続く上面板部分にて左右２部分に分割するとともに、背面板部分と上面板部分を重ねて左右方向へスライド可能にすることにより、左右の側面板間の間隔を調節可能、かつ任意の間隔にて固定手段により固定可能とし、上記作業台板を、ほぼ水平な使用位置と、使用位置から退避位置へ折り畳み可能に、取り付け枠に支軸により取り付けたことを特徴とする光ファイバーキャビネット用作業台。
【請求項２】
固定手段として、取り付け枠の上面板部分の重なり部の少なくとも一方に、左右方向へ延びた長溝を形成するとともに、長溝を通って重なり部を貫通するねじを設け、上面板の左右２部分を結合した構成を有する請求項１記載の光ファイバーキャビネット用作業台。
【考案の詳細な説明】
【技術分野】
【０００１】
本考案は、光ファイバー用のキャビネットとそのキャビネットを取り付けた壁面との間の隙間を利用して取り付ける着脱式の作業台に関するものである。
【背景技術】
【０００２】
例えば、光ファイバーの屋外部分と屋内部分を接続する箇所には、保安器或いはキャビネットなどと称する装置が設置されている。これらの装置を設けた箇所では、しばしば光ファイバーを接続する作業を行う必要があり、その接続作業時に、従来は、垂直な壁面を支えとしてきたが、それでは不安定となり、高い精度を要求される光ファイバーの接続には不安がある。
【０００３】
このため接続作業に用いる作業台を、保安器或いは光キャビネットを利用して取り付けるものが提供されている。その作業台は、片側基準で圧縮スプリングを使用しキャビネットの左右を挟み作業台を保持する構造である。しかし作業台の一部が本体から出っ張っているので、左右に壁があると作業台をセットできないことがある。また、その作業台はチェーンにより吊っている構造上、作業の邪魔になることも問題である。
【０００４】
これに対し、実用新案登録第３０４９６８０号の考案は、光キャビネットとそれを取り付けた壁面との間隙に、上方から係止される掛け金具を用いて取り付ける作業台を開示している。しかしこの作業台の場合、上記の掛け金具と、先端が壁面に支えられる突っ張り用の支持軸を有し、上下に位置調節可能に設けられているが、左右には殆ど調節できず、また、支持軸が作業台本体の先端を支える長さを有するためにとなり、力を入れる作業には不向きである。
【０００５】
また、特開２００３−１２１６６０号のものは、光キャビネットの函体に２本の平行なガイド軸を固定し、そのガイド軸にそって上下に移動できる作業テーブルを適宜位置で固定するものである。しかしこの発明のものは作業テーブルの取り付けに２本のガイド軸を必要とするため、部品点数が多くなるとともに構造的に脆弱になり勝ちである。
【０００６】
【特許文献１】実用新案登録第３０４９６８０号
【特許文献２】特開２００３−１２１６６０号
【考案の開示】
【考案が解決しようとする課題】
【０００７】
本考案は以上の点に着目して成されたもので、その課題は、壁際でも無理なくセットすることができ、かつ、安定して作業することができるようにすることである。また、本考案の他の課題は、間隔の調節により、サイズの異なる光キャビネットに取り付けることができ、また、作業台上の全面を使用することができる光ファイバーキャビネット用作業台を提供することである。
【課題を解決するための手段】
【０００８】
前記の課題を解決するため本考案は、光ファイバー用のキャビネットと、そのキャビネットを取り付けた壁面との間の隙間を利用して取り付ける着脱式の作業台として、キャビネットの背面と壁面との間の上記隙間に挿し込まれる背面板と、背面板の左右にてキャビネットを取り囲むように設けられた側面板とから成る取り付け枠を有し、取り付け枠を背面板部分とこれに続く上面板部分にて左右２部分に分割するとともに、背面板部分と上面板部分を重ねて左右方向へスライド可能にすることにより、左右の側面板間の間隔を調節可能、かつ任意の間隔にて固定手段により固定可能とし、上記作業台板を、ほぼ水平な使用位置と、使用位置から退避位置へ折り畳み可能に、取り付け枠に支軸により取り付けるという手段を講じたものである。
【０００９】
本考案に係る作業台は、光ファイバー用のキャビネットと、そのキャビネットを取り付けた壁面との間の隙間を利用して取り付ける着脱式のものである点、前記文献記載のものと共通している。すなわち、対象とするキャビネットは、壁面に取り付けたときに壁面との間に何らかの隙間を生じるものである。そして、光ファイバー用のキャビネットには幾つかの種類があり、本考案の場合、大小サイズの異なるキャビネットへの取り付けを可能にすることを、一つの特徴としている。
【００１０】
本考案に係る作業台は、キャビネットの背面と壁面との間の上記隙間に挿し込まれる背面板と、背面板の左右にてキャビネットを取り囲むように設けられた側面板とから成る取り付け枠を有している。言い換えれば、取り付け枠は、キャビネットの背面と左右両側面を囲んでおり、その正面に、後述する作業台板が配置されるものである。この取り付け枠に、上記取り付け枠の背面板に、大小サイズの異なるキャビネットと係合可能にするために、サイズの調節機構を設けている。
【００１１】
上記の調節機構は、取り付け枠を背面板部分とこれに続く上面板部分にて左右２部分に分割するとともに、背面板部分と上面板部分を重ねて左右方向へスライド可能にすることにより、左右の側面板間の間隔を調節可能、かつ任意の間隔にて固定手段により固定可能とした構成を有する。固定手段としては、取り付け枠の上面板部分の重なり部の少なくとも一方に、左右方向へ延びた長溝を形成するとともに、長溝を通って重なり部を貫通するねじを設け、上面板の左右２部分を結合した構成とすることが望ましい。ねじを緩めることにより取り付け枠の幅を広狭調節することができ、ねじを締め付けることにより任意の調節幅に固定することがきる。
【００１２】
作業台板は、ほぼ水平な使用位置と、使用位置から退避位置へ折り畳み可能に、取り付け枠に支軸を用いて取り付けられている。作業台板は、その上で光ファイバーの切断や接続などの精密な作業をすることも予定されているので、使用位置ではほぼ水平になることが求められる。これに対して、退避位置は不使用時に、邪魔にならない位置のことであり、作業台板は折りたたまれて使用位置から退避位置に移動する。
【００１３】
上記の作業台板は、横方向の支軸により、同支軸に沿って左右方向へスライド可能に取り付け枠に取り付けられており、作業台板の後部が取り付け枠の前部に接した状態において、作業台板をほぼ水平な使用位置に保つように、作業台板に設けられた短アームを上記支軸に軸支した構成を有していることが望ましい。この場合作業台板を取り付ける支軸の方向は、横方向であり、より具体的に言えば左右方向となる。作業台板は左右方向へスライド可能であるので、どちら側に壁面があっても壁との抵触を避けることができ、かつ、摩擦により、支軸上の任意の位置で停止する。
【００１４】
また、短アームは作業台板と一体に設けられており、その先端で、作業台板を左右にスライドさせる支軸に軸支されているものとする。この短アームは、短寸であることにより、高い剛性を保ち、それによって使用位置において作業をする際の安定性を高め、精度の良い加工や、接続などの作業を行うことを意図している。
【００１５】
作業台板は、横方向の支軸により上方へ跳ね上げ可能に設けられ、かつ、跳ね上げ時に磁石により取り付け枠に固定されるという構成を有することが望ましい。折り畳みが跳ね上げ式になされるので、作業台板の上げ下げによって、簡単に使用状態になり、また、不使用状態に戻すことも容易である。さらに、作業台板には、光ファイバーの接続作業に用いることのできるガイド部や、小物類の落下防止のための立ち上がった縁などを設けることができる。
【考案の効果】
【００１６】
本考案は上記のように構成されかつ作用するものであるから、背面板部分と上面板部分を重ねて左右方向へスライドさせて左右側面板の間隔を調節するとともに固定し、サイズの異なる光ファイバーキャビネットに取り付けることができ、また、作業台板を左右にスライドさせて、壁際でも無理なくセットすることができ、かつ、安定して作業をすることができるという効果を奏する。本考案によれば、作業台上の全面を使用して、周囲のものに邪魔されることなく、高品質の作業を実現することが可能な光ファイバーキャビネット用作業台を提供することができる。
【考案を実施するための最良の形態】
【００１７】
以下図示の実施形態を参照して、本考案をより詳細に説明する。図１、図２は、本考案に係る光ファイバーキャビネット用作業台１０の１例を示しており、この作業台１０は、大小２種の光ファイバー用のキャビネット１１−１、１１−２の内の小型のキャビネット１１−１に適用した状態を示すものである。これに対して、図３、図４は、大型のキャビネット１１−２に適用した状態を示すものであり、作業台１０の形態はどちらのものも同じである。
【００１８】
本考案に係る光ファイバーキャビネット用作業台１０は、上記した大小２種の光ファイバー用のキャビネット１１−１、１１−２を取り付けてある、壁面Ｗとの間の隙間Ｇを利用して取り付ける着脱式のものである。キャビネット１１−１、１１−２の背面には凸状の部分１２−１、１２−２が設けられており、この凸状の部分１２−１、１２−２は、異なる平面形態を持ち、また、これらは凸状であることにより、キャビネット本体と壁面Ｗとの間に隙間Ｇを生じる。
【００１９】
例示した大小２種のキャビネット１１−１、１１−２は、左右の幅が顕著に相違している。それゆえに、小型のキャビネット１１−１と大型のキャビネット１１−２を、ともに収められるように作業台１０の外寸を決めることにより、後述するように、これら大小サイズの異なる２種のキャビネット１１−１、１１−２に、１種類の取り付け枠１７で対応することができる。
【００２０】
そのため、本考案では、取り付け枠１７を背面板部分１４とこれに続く上面板部分１５にて左右２部分１４ｌ、１４及び１５ｌ、１５ｒに分割するとともに、背面板部分１４と上面板部分１５を重ねて左右方向へスライド可能にすることにより、左側面板１６ｌと右側面板１６ｒ間の間隔を調節可能、かつ任意の間隔にて固定手段により固定可能な構成としている。背面板部分１４は、取り付け枠１７の上部にのみ設けてあり、その下端１４ｄは、凸状の部分１２−１、１２−２の上端１２ｄに掛け止められたときに、小型のキャビネット１１−１の全体が本考案の作業台１０の内部に、丁度収まる。
【００２１】
間隔調節後の固定手段２０として、図示の例では取り付け枠１７の上面板部分１５の重なり部の少なくとも一方１５ｌに、左右方向へ延びた長溝２１を形成するとともに、他方１５ｒには小孔２２を形成し、これらの長溝２１、小孔２２を通って重なり部を貫通するねじ２３を取り付け、上面板部分１５の左右２部１５ｌ、１５ｒをナット２４とともに締め付け、結合した構成を有する。このような背面板部分１４と左右の側面板１６ｌ、１６ｒから成る取り付け枠１７は、平面形状がほぼコの字型に形成されており、また、背面板部分１４において、キャビネット１１−１、１１−２と壁面Ｗとの間の上記隙間Ｇに挿し込まれる。また、背面板部分１４の下方の位置には、壁面Ｗに接する支持片１８ｌ、１８ｒが、側面板１６ｌ、１６ｒの後方へ突き出す形で設けられている。
【００２２】
作業台板２５は、図５に実線で示したほぼ水平な使用位置から、同じく図５に鎖線で示した退避位置へ折り畳み可能に、取り付け枠１７に設けた軸受けパイプ１９に支軸２６により取り付けられている。作業台板２５は、横方向の支軸２６により、同支軸２６に沿って左右方向へスライド可能に取り付け枠１７に取り付けられており、作業台板２５の後部２７の縁が取り付け枠１７の前部２８ｌ、２８ｒに接した状態において、作業台板２５をほぼ水平な使用位置に保つように、作業台板２５に設けられた短アーム２９、３１を上記支軸２６に軸支した構成を有する。
【００２３】
短アーム２９、３１は、作業台板２５の後部にそれと一体に設けられており、作業台板２５の後方かつ上方へ向かって突出した形状を有し、その先端部分にて作業台板２５を左右にスライドさせる支軸２６に軸支されている。この短アーム２９、３１は、短尺であることにより、高い剛性を保ち、それによって高品質の作業を行う意図を有することは既に述べたとおりである。
【００２４】
作業台板２５は、横方向の支軸により上方へ跳ね上げ可能に設けられているわけであるが、跳ね上げ状態を保持するために、跳ね上げ時に、磁石を構成する一対の磁気片３２、３３により取り付け枠１７に固定される。すなわち、一対の一方の磁気片３２を作業台板２５に取り付け、他方の磁気片３３は取り付け枠１７の前部２８ｌに取り付けている。これにより、不使用状態において、作業台板２５を跳ね上げると、取り付け枠１７の正面を覆うだけの扁平な状態になり（図５の鎖線図示参照）、邪魔にならない。また、不使用状態に戻すことも容易である。
【００２５】
さらに、作業台板２５には、小物類の落下防止のための立ち上がった縁３４や、光ファイバーの接続作業に用いることのできるガイド部３５ｌ、３５ｒなどを設けることができる。立ち上がった縁３４の後部は、図５に示す作業台板２５の展開時に取り付け枠１７の前部２８ｌ、２８ｒに面接触して、安定性向上に寄与する。
【図面の簡単な説明】
【００２６】
【図１】本考案に係る光ファイバーキャビネット用作業台の一例を示すもので、小型のキャビネットに適用した状態を示す正面図。
【図２】図１のものの上面図。
【図３】図１のものを大型のキャビネットに適用した状態を示す正面図。
【図４】図３のものの上面図。
【図５】本考案に係る光ファイバーキャビネット用作業台の一例を示す側面図。
【図６】本考案に係る光ファイバーキャビネット用作業台の一例を示す斜視図。
【符号の説明】
【００２７】
１０  本考案に係る光ファイバーキャビネット用作業台
１１−１  小型のキャビネット
１１−２  大型のキャビネット
１２−１、１２−２  凸状の部分
１４  背面板
１４ｌ、１４ｒ  背面板の左右２部分
１５  上面板
１５ｌ、１５ｒ  上面板の左右２部分
１６ｌ  左側面板
１６ｒ  右側面板
１７  取り付け枠
２０  固定手段
２１  長溝
２２  小孔
２３  ねじ
２４  ナット
２５  作業台板
２９、３１  短アーム
３２、３３  磁気片
３５ｌ、３５ｒ  ガイド部
【図１】
0003120295.tif 000003
【図２】
0003120295.tif 000004
【図３】
0003120295.tif 000005
【図４】
0003120295.tif 000006
【図５】
0003120295.tif 000007
【図６】
0003120295.tif 000008